(57)【要約】  機器管理システムは、構成機器を保管する保管庫および対基板作業機を含む移動範囲において移動可能な搬送台車と、移動範囲における搬送台車の現在位置を検出する位置検出部と、搬送台車に設けられ、搬送台車に収容された構成機器の識別情報を取得する情報取得部と、位置検出部による検出結果および情報取得部による識別情報に基づいて搬送台車および構成機器を管理する管理制御部と、を備える。【選択図】図１
2020115915.tif 000002
【特許請求の範囲】
【請求項１】
対基板作業機に交換可能に装備されて基板に対する所定作業に用いられる構成機器を収容し、前記構成機器を保管する保管庫および前記対基板作業機を含む移動範囲において移動可能な搬送台車と、
前記移動範囲における前記搬送台車の現在位置を検出する位置検出部と、
前記搬送台車に設けられ、前記搬送台車に収容された前記構成機器の識別情報を取得する情報取得部と、
前記位置検出部による検出結果および前記情報取得部による前記識別情報に基づいて前記搬送台車および前記構成機器を管理する管理制御部と、
を備える対基板作業機の機器管理システム。
【請求項２】
前記移動範囲には、所定の信号をそれぞれ発信する複数の送信機が設置され、
前記位置検出部は、前記搬送台車に設けられ、前記複数の送信機からの信号を受信して前記搬送台車の前記現在位置を検出する、請求項１に記載の対基板作業機の機器管理システム。
【請求項３】
前記複数の送信機のそれぞれは、設置位置に応じた信号を発信するビーコン装置であり、
前記機器管理システムは、前記移動範囲において複数の前記ビーコン装置を共用する前記位置検出部を設けられた複数の前記搬送台車を備える、請求項２に記載の対基板作業機の機器管理システム。
【請求項４】
前記情報取得部は、前記搬送台車に通信可能に接続された前記構成機器と通信することにより前記識別情報を取得する、請求項１−３の何れか一項に記載の対基板作業機の機器管理システム。
【請求項５】
前記情報取得部は、前記搬送台車に収容された前記構成機器に付された識別コードを読み取ることにより前記識別情報を取得する、請求項１−４の何れか一項に記載の対基板作業機の機器管理システム。
【請求項６】
前記管理制御部は、作業者による特定の前記構成機器の探索要求を受け付けて、前記構成機器を探索し、探索結果として前記搬送台車の現在位置を前記作業者に提示する、請求項１−５の何れか一項に記載の対基板作業機の機器管理システム。
【請求項７】
前記機器管理システムは、前記作業者による前記探索要求を受け付ける端末装置であって、前記移動範囲における自己位置を取得可能な前記端末装置をさらに備え、
前記管理制御部は、前記移動範囲を示すマップに、前記搬送台車の現在位置および前記端末装置の前記自己位置を重ねて前記端末装置に表示させる、請求項６に記載の対基板作業機の機器管理システム。
【請求項８】
前記位置検出部は、定期的に前記搬送台車の現在位置を取得し、
前記管理制御部は、前記探索要求に応じた前記構成機器の探索において前記構成機器を収容した前記搬送台車の前記現在位置が取得できない場合に、探索結果として前記搬送台車が前記移動範囲の外にあることと、前記位置検出部により最後に検出された最終位置とを前記作業者に提示する、請求項６または７に記載の対基板作業機の機器管理システム。
【請求項９】
前記搬送台車は、
前記構成機器をそれぞれ収容可能な複数の収容部と、
複数の前記収容部に対応して設けられ、前記作業者に対して前記搬送台車における前記構成機器の位置を報知する複数の報知部と、を備え、
前記管理制御部は、前記探索結果を前記作業者に提示するとともに、特定の前記構成機器を収容する前記収容部に対応した前記報知部による報知を行わせる、請求項６−８の何れか一項に記載の対基板作業機の機器管理システム。
【請求項１０】
前記機器管理システムは、複数の前記構成機器に関する機器情報を前記識別情報に関連付けて記憶する管理サーバをさらに備え、
前記管理制御部は、前記探索結果に加えて前記管理サーバから取得した前記機器情報を併せて前記作業者に提示する、請求項６−９の何れか一項に記載の対基板作業機の機器管理システム。
【請求項１１】
前記機器情報には、対応する前記構成機器のメンテナンスの必要度が含まれる、請求項１０に記載の対基板作業機の機器管理システム。
【請求項１２】
前記搬送台車は、外部からの操作力により走行し、前記移動範囲の任意位置に停止した状態で前記保管庫または前記対基板作業機に対する所定作業に用いられる、請求項１−１１の何れか一項に記載の対基板作業機の機器管理システム。
【請求項１３】
前記対基板作業機は、前記基板に部品を装着する部品装着機であり、
前記構成機器は、前記部品装着機による前記部品の装着処理において前記部品を供給するフィーダである、請求項１−１２の何れか一項に記載の対基板作業機の機器管理システム。
【発明の詳細な説明】
【技術分野】
【０００１】
本発明は、対基板作業機の機器管理システムに関するものである。
【背景技術】
【０００２】
機器管理システムは、保管庫や対基板作業機にある構成機器の管理に用いられる。基板製品の製造に用いられる対基板作業機には、部品を基板に装着する部品装着機が含まれる。部品装着機は、部品を供給するフィーダなどの構成機器を備える。フィーダは、生産前のセットアップにおいて基板製品の種類に応じて交換され、保管庫と部品装着機との間を搬送台車により搬送される。特許文献１には、基板製品の生産スケジュールに応じてセットアップの内容およびタイミングの最適化を図る構成が開示されている。
【先行技術文献】
【特許文献】
【０００３】
【特許文献１】特開２０００−０５９０９０号公報
【発明の概要】
【発明が解決しようとする課題】
【０００４】
しかしながら、搬送台車による移動や構成機器の交換の頻度が高くなると、搬送台車や構成機器の所在を常に把握することが容易でなくなる。また、セットアップの前後において搬送台車の停止位置や、搬送台車における構成機器の収容状態を規定することにより管理性を向上することが考えられる。一方で、このような規定を設けることは、搬送台車の移動距離が伸びたり、搬送台車から構成機器を取り出す作業が増加したりすることが懸念される。【０００５】
本明細書は、構成機器の管理性を向上できるとともに、搬送台車を用いたセットアップの作業効率の向上を図ることができる対基板作業機の機器管理システムを提供することを目的とする。
【課題を解決するための手段】
【０００６】
本明細書は、対基板作業機に交換可能に装備されて基板に対する所定作業に用いられる構成機器を収容し、前記構成機器を保管する保管庫および前記対基板作業機を含む移動範囲において移動可能な搬送台車と、前記移動範囲における前記搬送台車の現在位置を検出する位置検出部と、前記搬送台車に設けられ、前記搬送台車に収容された前記構成機器の識別情報を取得する情報取得部と、前記位置検出部による検出結果および前記情報取得部による前記識別情報に基づいて前記搬送台車および前記構成機器を管理する管理制御部と、を備える対基板作業機の機器管理システムを開示する。
【発明の効果】
【０００７】
このような構成によると、位置検出部により搬送台車の現在位置が検出され、且つ当該搬送台車に収容された構成機器を識別情報に基づいて管理することができる。これにより、搬送台車および構成機器を対象とした管理性を向上できる。また、作業者は、機器管理システムにより構成機器などを管理されることによりセットアップを支援される。結果として、搬送台車を用いたセットアップの作業効率の向上を図ることができる。
【図面の簡単な説明】
【０００８】
【図１】実施形態における機器管理システムを適用された生産システムを示す模式図である。
【図２】図１の生産ラインを構成する部品装着機の構成を示す模式図である。
【図３】図１の機器管理システムを構成する搬送装置を模式的に示す平面図である。
【図４】図１の機器管理システムを構成する端末装置を示す平面図であって、所定の構成機器の探索結果が画面に提示された状態を示す。
【図５】構成機器の管理制御処理を示すフローチャートである。
【発明を実施するための形態】
【０００９】
１．機器管理システム２０の概要
以下、機器管理システム２０を具体化した実施形態について図面を参照して説明する。機器管理システム２０は、対基板作業機に交換可能に装備されて基板に対する所定作業に用いられる構成機器の管理に用いられる。本実施形態において、機器管理システム２０が対基板作業機としての部品装着機３のフィーダ１２２を管理の対象として適用された態様を例示する。
【００１０】
２．生産システム１の構成の構成
生産システム１は、図１に示すように、複数の生産ラインＬｐ、機器管理システム２０、および保管庫７１により構成される。生産ラインＬｐは、例えば基板製品の生産工場において、複数の対基板作業機を基板９０（図２を参照）の搬送方向に複数設置して構成される。複数の対基板作業機のそれぞれは、生産ラインＬｐを統括して制御するホストコンピュータとして機能する管理サーバ４０に通信可能に接続される。生産ラインＬｐは、複数の対基板作業機としての印刷機２、複数の部品装着機３、リフロー炉４、および検査機５を備える。
【００１１】
印刷機２は、搬入された基板９０における部品の装着位置にペースト状のはんだを印刷する。具体的には、印刷機２は、図略のマスクを基板９０に重ねた状態で、マスクに対してはんだを塗り延ばす。これにより、マスクに形成されたパターン孔に応じた位置にはんだが印刷される。複数の部品装着機３のそれぞれは、生産ラインＬｐの上流側から搬送された基板９０に部品を装着する。部品装着機３の構成については後述する。
【００１２】
リフロー炉４は、生産ラインＬｐの上流側から搬送された基板９０を加熱して、基板９０上のはんだを溶融させてはんだ付けを行う。検査機５は、生産ラインＬｐにより生産された基板製品の機能が正常であるか否かを検査する。なお、生産ラインＬｐは、例えば生産する基板製品の種別などに応じて、その構成を適宜追加、変更され得る。具体的には、生産ラインＬｐには、搬送される基板９０を一時的に保持するバッファ装置や基板供給装置や基板反転装置、各種検査装置、シールド装着装置、接着剤塗布装置、紫外線照射装置などの対基板作業機が適宜設置され得る。
【００１３】
保管庫７１は、生産工場のフロアに設置され、構成機器を保管する。保管庫７１は、例えば、構成機器の一種であるフィーダ１２２を保管の対象とする。このとき、保管庫７１は、フィーダ１２２にキャリアテープが装填された状態、またはキャリアテープが装填されていない状態でフィーダ１２２を保管する。また、保管庫７１は、搬入および搬出された構成機器の識別情報を取得することにより、保管している構成機器および構成機器の状態を認識している。
【００１４】
３．部品装着機３の構成
部品装着機３は、基板９０に部品を装着する装着処理を実行する。部品装着機３は、図２に示すように、基板搬送装置１１、部品供給装置１２、部品移載装置１３、部品カメラ１４、基板カメラ１５、およびノズルステーション１６を備える。基板搬送装置１１は、ベルトコンベアおよび位置決め装置などにより構成される。基板搬送装置１１は、基板９０を搬送方向へと順次搬送するとともに、基板９０を機内の所定位置に位置決めする。基板搬送装置１１は、装着処理が終了した後に、基板９０を部品装着機３の機外に搬出する。
【００１５】
部品供給装置１２は、基板９０に装着される部品を供給する。部品供給装置１２は、複数のスロット１２１にセットされたフィーダ１２２を備える。フィーダ１２２は、多数の部品が収納されたキャリアテープを送り移動させて、部品を採取可能に供給する。フィーダ１２２は、部品装着機３を構成する構成機器の一つである。また、フィーダ１２２は、内部の記憶装置に固有の識別情報（ＩＤ）が記憶されている。フィーダ１２２は、外部との通信可能に接続された状態において、外部からの要求に応じて識別情報を送信する。
【００１６】
部品移載装置１３は、部品供給装置１２により供給された部品を、基板搬送装置１１により機内に搬入された基板９０上の所定の装着位置まで移載する。部品移載装置１３のヘッド駆動装置１３１は、直動機構により移動台１３２を水平方向（Ｘ軸方向およびＹ軸方向）に移動させる。移動台１３２には、図示しないクランプ部材により装着ヘッド１３３が交換可能に固定されている。
【００１７】
装着ヘッド１３３は、部品装着機３を構成する構成機器の一つである。装着ヘッド１３３は、装着処理において、吸着ノズル１３４を用いて部品を採取するとともに、部品の上下方向位置および角度を調整して基板９０に装着する。吸着ノズル１３４は、供給される負圧エアにより部品を吸着して保持する保持部材である。装着ヘッド１３３には、吸着ノズル１３４の他に、部品を把持するチャックなどが保持部材として取り付けられ得る。
【００１８】
部品カメラ１４、および基板カメラ１５は、ＣＭＯＳなどの撮像素子を有するデジタル式の撮像装置である。部品カメラ１４、および基板カメラ１５は、制御信号に基づいて撮像を行い、当該撮像により取得した画像データを送出する。部品カメラ１４は、装着ヘッド１３３の吸着ノズル１３４に保持された部品を下方から撮像可能に構成される。基板カメラ１５は、基板９０を上方から撮像可能に構成される。
【００１９】
ノズルステーション１６は、部品装着機３の基台に設置される。ノズルステーション１６は、複数の吸着ノズル１３４を着脱可能に保持する。ノズルステーション１６は、吸着ノズル１３４の交換処理において、装着ヘッド１３３から取り外された吸着ノズル１３４を保持するとともに、別の吸着ノズル１３４を取り出し可能に保持する。これにより、部品装着機３は、装着処理の実行中に、装着対象の電子部品の種別に応じて吸着ノズル１３４を自動的に交換可能に構成される。
【００２０】
上記のような構成からなる部品装着機３は、部品を基板９０に装着する装着処理を実行する。装着処理において、部品装着機３は、複数設けられた各種センサから出力される情報や画像処理の結果、予め記憶された制御プログラムなどに基づき、部品移載装置１３に制御信号を送出する。これにより、装着ヘッド１３３に支持された複数の吸着ノズル１３４の位置および角度が制御される。
【００２１】
４．機器管理システム２０の構成
機器管理システム２０は、フィーダ１２２などの構成機器を管理する。これにより、構成機器の所在や状態が把握され、基板製品の生産のための対基板作業機のセットアップの効率化が図られている。また、構成機器の状態に応じたメンテナンスがなされることによって、構成機器の適正な動作の維持が図られている。本実施形態において、機器管理システム２０は、図１に示すように、複数の搬送台車３０、管理サーバ４０、複数のビーコン装置５１、および端末装置６０を備える。
【００２２】
搬送台車３０は、複数のフィーダ１２２を収容し、保管庫７１および部品装着機３を含む移動範囲Ｒｍにおいて移動可能に構成される。本実施形態において、搬送台車３０は、外部からの操作力により走行する。つまり、搬送台車３０は、駆動部などを有さず、作業者Ｈに押されるなどしてフロアを走行する。搬送台車３０は、移動範囲Ｒｍの任意位置に停止した状態で保管庫７１または部品装着機３に対する所定作業（例えば、フィーダ１２２の交換作業）に用いられる。
【００２３】
搬送台車３０は、図３に示すように、複数の収容部３１と、位置検出部３２と、情報取得部３３と、リーダ装置３４と、報知部３５とを有する。複数の収容部３１は、部品供給装置１２における複数のスロット１２１と同様に構成され、フィーダ１２２を支持する。複数の収容部３１のそれぞれに収容されたフィーダ１２２は、搬送台車３０から給電されるとともに通信可能な状態となる。
【００２４】
位置検出部３２は、移動範囲Ｒｍにおける搬送台車３０の現在位置Ｐｃを検出する。位置検出部３２による現在位置Ｐｃの検出処理には、種々の態様を採用し得る。本実施形態において、位置検出部３２は、外部からの信号に基づいて検出処理を実行する。具体的には、搬送台車３０に設けられ、複数のビーコン装置５１からの信号を受信して搬送台車３０の現在位置Ｐｃを検出する。
【００２５】
ここで、上記の複数のビーコン装置５１のそれぞれは、移動範囲Ｒｍに設置され、所定の信号を発信する送信機である。本実施形態において、複数のビーコン装置５１のそれぞれは、設置位置に応じた信号を発信する。位置検出部３２は、複数のビーコン装置５１が発信するビーコン信号を受信し、その信号強度に基づいて移動範囲Ｒｍにおける現在位置Ｐｃを割り出す。なお、同一の移動範囲Ｒｍに配置された複数の搬送台車３０の位置検出部３２は、同種であり、複数のビーコン装置５１を共用する。これにより、設備コストの低減を図ることができる。
【００２６】
上記のように、本実施形態の位置検出部３２は、搬送台車３０に設けられ、定期的に搬送台車３０の現在位置Ｐｃを取得するとともに、管理サーバ４０に搬送台車３０の識別情報に関連付けて現在位置Ｐｃを送信する。これにより、管理サーバ４０は、移動範囲Ｒｍ内に配置された複数の搬送台車３０のそれぞれが移動範囲Ｒｍ内にあるか否か、および移動範囲Ｒｍにおける現在位置Ｐｃを認識可能に構成される。
【００２７】
情報取得部３３は、搬送台車３０に設けられ、搬送台車３０に収容された構成機器の識別情報を取得する。具体的には、情報取得部３３は、搬送台車３０に通信可能に接続されたフィーダ１２２と通信することにより識別情報を取得する。また、情報取得部３３は、搬送台車３０に収容されたフィーダ１２２に付された識別コード（図示しない）を読み取ることにより識別情報を取得してもよい。
【００２８】
上記の識別コードは、識別情報などのフィーダ１２２の固有情報を含む。識別コードには、バーコードや二次元コード、文字列、模様、色彩またはこれらの結合体を採用し得る。リーダ装置３４は、フィーダ１２２に付された識別コードおよびキャリアテープが巻回されたリールに付された識別コードを読み取ることが可能である。これにより、フィーダ１２２に所定のキャリアテープが装填されると、リーダ装置３４によりそれぞれの識別コードが読み取られて、フィーダ１２２とキャリアテープが関連付けられる。
【００２９】
搬送台車３０は、上記のように所定のフィーダ１２２にキャリアテープが関連付けられた場合に、その情報を管理サーバ４０に送信する。これにより、管理サーバ４０は、何れのフィーダ１２２にキャリアテープが装填されているか否か、装填されている場合には部品種や部品の残数などを認識可能に構成される。なお、リーダ装置３４は、作業者Ｈが操作可能なハンディタイプや他のタイプを採用し得る。例えば、リーダ装置３４は、識別コードの貼付位置に対応したカメラ視野を有するカメラ装置と、画像処理により識別情報を読み取る画像処理装置とにより構成されてもよい。
【００３０】
複数の報知部３５は、複数の収容部３１に対応して設けられる。複数の報知部３５のそれぞれは、作業者Ｈに対して搬送台車３０における特定のフィーダ１２２の位置を報知する。具体的には、本実施形態において、報知部３５は、作業者Ｈが視認可能な搬送台車３０の上部に設けられた表示灯である。報知部３５は、後述する管理制御部４２の指令により点灯、点滅および消灯の状態を切り換えられる。また、報知部３５は、例えば搬送台車３０が作業者Ｈの接近を検知したり、作業者Ｈによる報知要求を受けたりした場合に、フィーダ１２２の位置を報知してもよい。
【００３１】
５．管理サーバ４０の構成
管理サーバ４０は、生産工場において複数の生産ラインＬｐを統括して制御するホストコンピュータとして機能する。また、管理サーバ４０は、生産ラインＬｐの動作状況を監視し、部品装着機３や保管庫７１を管理する。管理サーバ４０には、部品装着機３を制御するための各種データが記憶されている。管理サーバ４０は、各生産設備における生産処理の実行に際して、制御プログラムなどの各種データを各生産設備に適宜送出する。
【００３２】
ここで、生産工場においてセットアップなどに用いられる搬送台車３０による移動やフィーダ１２２の交換の頻度が高くなると、搬送台車３０やフィーダ１２２の所在を常に把握することが容易でなくなる。特に、搬送台車３０は、自走機能を有さず作業者Ｈの操作力により走行するので、現在位置Ｐｃを把握することは容易でない。そこで、機器管理システム２０は、フィーダ１２２の管理性の向上や搬送台車３０を用いたセットアップの作業効率の向上を図るべく、以下のような構成を採用する。
【００３３】
具体的には、管理サーバ４０は、例えばフィーダ１２２を対象とした管理において、複数の部品装着機３、搬送台車３０、および保管庫７１と通信し、それぞれに装備または収容されたフィーダ１２２の識別情報を収集する。これにより、管理サーバ４０は、特定のフィーダ１２２について、例えば何れの部品装着機３における部品供給装置１２の何番目のスロット１２１にセットされているかを認識する。さらに、管理サーバ４０は、図１に示すように、記憶部４１と、管理制御部４２とを備える。
【００３４】
記憶部４１は、複数のフィーダ１２２に関する機器情報Ｍ１を識別情報（ＩＤ）に関連付けて記憶する。本実施形態において、機器情報Ｍ１には、対応するフィーダ１２２のメンテナンスの必要度が含まれる。ここで、フィーダ１２２は、安定した動作を維持するために動作回数（例えば、部品の供給回数に相当）や動作時間、前回のメンテナンスからの経過時間に応じてメンテナンスが必要とされる。
【００３５】
管理サーバ４０は、個々のフィーダ１２２について、動作回数などに基づいてメンテナンスの必要度を算出し、機器情報Ｍ１に記録する。また、機器情報Ｍ１には、例えばフィーダ１２２のタイプ、インストールされているファームウェアのバージョン、装填されている部品種、部品の残数が含まれてもよい。
【００３６】
管理制御部４２は、位置検出部３２による検出結果および情報取得部３３による識別情報に基づいて搬送台車３０およびフィーダ１２２を管理する。本実施形態において、管理制御部４２は、複数の搬送台車３０の移動範囲Ｒｍにおける現在位置Ｐｃをそれぞれ認識するとともに、部品装着機３、搬送台車３０、および保管庫７１にセットされたフィーダ１２２の所在をそれぞれ認識する。これにより、機器管理システム２０は、フィーダ１２２の管理性の向上を図っている。
【００３７】
また、本実施形態において、管理制御部４２は、上記のような機能を利用して、作業者Ｈによる特定のフィーダ１２２の探索要求を受け付ける。具体的には、管理制御部４２は、作業者Ｈによる探索要求を端末装置６０から受け付ける。端末装置６０は、例えば作業者Ｈに携帯されるタブレットである。本実施形態において、端末装置６０は、図４に示すように、タッチスクリーン６１を備える。タッチスクリーン６１は、各種情報を表示するとともに、作業者Ｈによる操作を受け付ける。
【００３８】
端末装置６０は、管理サーバ４０と通信可能に接続される。また、端末装置６０は、移動範囲Ｒｍにおける自己位置Ｐｓを取得可能に構成される。本実施形態において、端末装置６０は、位置検出部３２と同様に、複数のビーコン装置５１が発信するビーコン信号を受信し、その信号強度に基づいて移動範囲Ｒｍにおける自己位置Ｐｓを割り出す。また、端末装置６０には、生産工場において複数の生産ラインＬｐおよび保管庫７１などが設置された位置を含むマップＡｆが予め記憶されている。
【００３９】
管理制御部４２は、上記のように作業者Ｈによる特定のフィーダ１２２の探索要求を受け付けた場合に、認識している各種情報に基づいてフィーダ１２２を探索する。そして、管理制御部４２は、探索結果としてそのフィーダ１２２を収容している搬送台車３０の現在位置Ｐｃを作業者Ｈに提示する。このとき、管理制御部４２は、移動範囲Ｒｍを示すマップＡｆに、搬送台車３０の現在位置Ｐｃおよび端末装置６０の自己位置Ｐｓを重ねて端末装置６０のタッチスクリーン６１に表示させる。
【００４０】
さらに、本実施形態において、管理制御部４２は、上記の探索結果に加えて管理サーバ４０から取得した機器情報Ｍ１を併せて作業者Ｈに提示する。これにより、作業者Ｈは、探索されたフィーダ１２２の所在とともに、そのフィーダ１２２のメンテナンスの必要度などの機器情報Ｍ１を併せて確認することができる。これにより、メンテナンスの必要度が高いフィーダ１２２がセットされることを防止できる。また、マップＡｆに自己位置Ｐｓおよびフィーダ１２２が収容された搬送台車３０の現在位置Ｐｃが表示されるので、フィーダ１２２までのアクセスが容易となる。
【００４１】
なお、管理制御部４２は、上記の探索要求については、特定のフィーダ１２２を示す識別情報の入力を受け付ける他に、種々の条件を受け付けてもよい。具体的には、管理制御部４２は、例えばフィーダ１２２のタイプ、インストールされているファームウェアのバージョン、装填されている部品種、部品の残数などを複合的に条件として受け付け、その条件を満たすフィーダ１２２を探索してもよい。
【００４２】
上記のように条件を受け付けて特定のフィーダ１２２を探索し、条件を満たす複数のフィーダ１２２が検出されることがある。このような場合に、管理制御部４２は、複数のフィーダ１２２をそれぞれ候補とし、所定の優先度に基づく順番で作業者Ｈに探索結果（複数の候補）を提示してもよい。なお、所定の優先度には、メンテナンスの必要度が低いものであったり、自己位置Ｐｓからの距離が近いものであったり任意に設定することができる。
【００４３】
さらに、本実施形態において、管理制御部４２は、上記のように端末装置６０において探索結果を作業者Ｈに提示するとともに、特定のフィーダ１２２を収容する収容部３１に対応した報知部３５による報知を行わせる。具体的には、管理制御部４２は、搬送台車３０に対して探索結果に係る報知部３５を点灯させる。これにより、作業者Ｈは、搬送台車３０に接近した際に、目標のフィーダ１２２がどの収容部３１に収容されているのかを視認することができる。よって、作業効率の向上を図ることができる。
【００４４】
また、上記のような特定のフィーダ１２２を探索すると、フィーダ１２２が部品装着機３における部品供給装置１２の所定のスロット１２１にセットされていたり、保管庫７１に保管されていたりすることがある。このような場合には、管理制御部４２は、搬送台車３０に収容されている場合と同様に、マップＡｆに自己位置Ｐｓおよびフィーダ１２２の位置を重ねて端末装置６０に表示させる。
【００４５】
さらに、上記のような特定のフィーダ１２２を探索すると、探索要求に応じたフィーダ１２２を収容した搬送台車３０が移動範囲Ｒｍにないことがある。具体的には、管理サーバ４０は、通常であれば搬送台車３０の現在位置Ｐｃを定期的に取得するところ、最後に検出された現在位置Ｐｃが現在時刻から一定期間を遡っている場合に、搬送台車３０が移動範囲Ｒｍの外に移動されたと認識する。
【００４６】
このような場合に、管理制御部４２は、探索結果として搬送台車３０が移動範囲Ｒｍの外にあることと、位置検出部３２により最後に検出された最終位置とを作業者Ｈに提示する。上記の「最終位置」は、搬送台車３０から送信された最後の現在位置Ｐｃに相当する。このような構成によると、作業者Ｈは、探しているフィーダ１２２が現在のフロアにないことを即時に把握でき、また例えば何れの出入り口から外部へと移動したかを把握できる。これにより、作業者Ｈがフィーダ１２２の所在を推測することを支援できる。
【００４７】
６．機器管理システム２０による管理制御処理
機器管理システム２０による管理制御処理について図５を参照して説明する。ここで、管理制御処理の対象となる構成機器は、部品装着機３における部品供給装置１２のフィーダ１２２とする。また、機器管理システム２０の管理サーバ４０は、複数の部品装着機３、複数の搬送台車３０、および保管庫７１との通信により、それぞれにセットされているフィーダ１２２の識別情報を所在情報として保持している。また、管理サーバ４０は、複数の搬送台車３０との通信により、それぞれの現在位置Ｐｃを所在情報として保持している。
【００４８】
管理サーバ４０は、例えば端末装置６０を介して作業者Ｈから特定のフィーダ１２２の探索要求があった場合に、管理制御処理を実行する。ここで、作業者Ｈは、基板製品の生産スケジュールに応じて生成されたセットアップリストに従って、特定のフィーダ１２２に所定のキャリアテープを装填して部品装着機３に装備する。このとき、作業者Ｈは、搬送台車３０を用いて複数のフィーダ１２２を目標の部品装着機３まで搬送したり、フィーダ１２２の状態を調整したりするなどのセットアップ作業を行う。
【００４９】
このとき、作業者Ｈが特定のフィーダ１２２や搬送台車３０の所在を把握できていない場合には、セットアップ作業の進行が滞ることになる。そこで、作業者Ｈは、特定のフィーダ１２２や搬送台車３０の所在や状態を取得するために、端末装置６０を操作して管理サーバ４０に対して問い合わせ（探索要求）を行う。管理制御部４２は、端末装置６０に入力された識別情報または探索条件に基づいて、探索するフィーダ１２２を決定する（Ｓ１１）。このとき、探索条件に複数のフィーダ１２２が該当する場合には、管理制御部４２は、それぞれを候補とする。
【００５０】
次に、管理制御部４２は、Ｓ１１にて決定した特定のフィーダ１２２の所在を、予め保持している所在情報に基づいて特定する（Ｓ１２）。このとき、特定のフィーダ１２２が部品装着機３または搬送台車３０にセットされている場合には、所在情報には、そのフィーダ１２２がセットされているスロット１２１または収容部３１の何番目かを示す情報が含まれる。続いて、管理制御部４２は、特定のフィーダ１２２が搬送台車３０に収容されているか否かを判定する（Ｓ１３）。
【００５１】
特定のフィーダ１２２が搬送台車３０に収容され（Ｓ１３：Ｙｅｓ）、且つ搬送台車３０が移動範囲Ｒｍの内部にある場合には（Ｓ１４：Ｙｅｓ）、管理制御部４２は、搬送台車３０の現在位置Ｐｃおよび収容部３１の番号を探索結果とする（Ｓ１５）。一方で、搬送台車３０が移動範囲Ｒｍの外にある場合に（Ｓ１４：Ｎｏ）、管理制御部４２は、搬送台車３０が移動範囲Ｒｍの外にあることと、最終位置（最後に検出されたときの現在位置Ｐｃ）とを探索結果とする（Ｓ１６）。
【００５２】
特定のフィーダ１２２が搬送台車３０に収容されていない場合には（Ｓ１３：Ｎｏ）、管理制御部４２は、部品装着機３の設置位置およびスロット１２１の番号、または保管庫７１の設置位置を探索結果とする（Ｓ１７）。管理制御部４２は、Ｓ１５−Ｓ１７の何れかにより生成された探索結果を端末装置６０に送信し、探索結果を作業者Ｈに提示する（Ｓ１８）。このとき、管理制御部４２は、特定のフィーダ１２２に関する機器情報Ｍ１を探索結果とともに端末装置６０に送信する。
【００５３】
端末装置６０は、マップＡｆに自己位置Ｐｓおよび探索結果（搬送台車３０の現在位置Ｐｃなど）を重ねて表示する。このとき、端末装置６０は、マップＡｆ上にまたはマップＡｆに並べてフィーダ１２２に関する機器情報Ｍ１を表示する。なお、複数の候補がある場合には、端末装置６０は、表示の優先度に応じた順に従って位置および機器情報Ｍ１を表示する。
【００５４】
また、管理制御部４２は、必要に応じて作業者Ｈによる取り出しの支援処理を実行する（Ｓ１９）。具体的には、特定のフィーダ１２２が搬送台車３０に収容されている場合には、管理制御部４２は、その搬送台車３０に対してフィーダ１２２を収容した収容部３１に対応した報知部３５による報知を行わせる。これにより、報知部３５が表示灯である場合には、当該表示灯が点灯して作業者Ｈの視認性を向上させる。
【００５５】
その他に、支援処理において、管理制御部４２は、特定のフィーダ１２２が保管庫７１に保管されている場合には、保管庫７１に対してそのフィーダ１２２を作業者Ｈが持ち出し可能となるように払い出すように指令してもよい。これにより、作業者Ｈは、例えば保管庫７１まで搬送台車３０を押して移動させ、払い出されたフィーダ１２２を保管庫７１から持ち出すことが可能となる。
【００５６】
７．実施形態の構成による効果
本実施形態における対基板作業機の機器管理システム２０は、移動範囲Ｒｍにおける搬送台車３０の現在位置Ｐｃを検出する位置検出部３２と、搬送台車３０に収容された構成機器（フィーダ１２２）の識別情報を取得する情報取得部３３と、位置検出部３２による検出結果および情報取得部３３による識別情報に基づいて搬送台車３０および構成機器を管理する管理制御部４２と、を備える。
【００５７】
このような構成によると、位置検出部３２により搬送台車３０の現在位置Ｐｃが検出され、且つ当該搬送台車３０に収容された構成機器（フィーダ１２２）を識別情報に基づいて管理することができる。これにより、搬送台車３０および構成機器を対象とした管理性を向上できる。また、作業者Ｈは、機器管理システム２０により構成機器などを管理されることによりセットアップを支援される。結果として、搬送台車３０を用いたセットアップの作業効率の向上を図ることができる。
【００５８】
８．実施形態の変形態様
８−１．位置検出部３２について
実施形態において、ビーコン装置５１が発信する信号を受信して搬送台車３０の現在位置Ｐｃを検出する構成とした。これに対して、位置検出部３２は、例えば相互通信に用いられる電波や赤外線の信号を受信して現在位置Ｐｃを検出してもよい。具体的には、搬送台車３０と管理サーバ４０との相互通信に用いられる無線信号を適用できる。
【００５９】
また、位置検出部３２は、外部からの信号を用いることなく現在位置Ｐｃを検出してもよい。例えば、位置検出部３２は、移動範囲Ｒｍの少なくとも一部をカメラ視野とするカメラ装置の撮像により画像データを取得し、この画像データを画像処理することにより搬送台車３０の現在位置Ｐｃを割り出してもよい。また、位置検出部３２は、例えば搬送台車３０から定期的に送信される信号を受信して、搬送台車３０の現在位置Ｐｃを割り出してもよい。
【００６０】
８−２．機器管理システム２０について
実施形態において、機器管理システム２０は、位置検出部３２による検出結果に基づいて搬送台車３０の現在位置Ｐｃを認識し、情報取得部３３による識別情報に基づいて搬送台車３０に収容されたフィーダ１２２を認識する構成とした。そして、機器管理システム２０は、このような機能を利用して、作業者Ｈの探索要求に応じた処理を行う構成とした。
【００６１】
これに対して、機器管理システム２０は、搬送台車３０の現在位置Ｐｃなどを種々の管理に利用してもよい。具体的には、機器管理システム２０は、搬送台車３０の現在位置Ｐｃなどを認識することにより、搬送台車３０や構成機器の紛失を防止したり、誤ったセットアップや予定と異なる保管がなされることを防止したりすることに利用することができる。これにより、構成機器の管理性をより向上できる。
【００６２】
また、実施形態において、機器管理システム２０は、作業者Ｈからの探索要求に応じた構成機器であるフィーダ１２２を探索するものとした。これに対して、機器管理システム２０は、探索要求に換えてまたは加えて、例えば基板製品の生産スケジュールに応じて生成されたセットアップリストとともに構成機器の位置を作業者Ｈに提示してもよい。このとき、構成機器が搬送台車３０に収容されている場合には、機器管理システム２０は、搬送台車３０の現在位置Ｐｃも併せて作業者Ｈに提示してもよい。これにより、セットアップの作業効率を向上できる。
【００６３】
実施形態において、機器管理システム２０は、構成機器に関する機器情報Ｍ１を記憶する管理サーバ４０を備える構成とした。これに対して、探索結果を提示する際に機器情報Ｍ１を併せて提示する必要がない場合には、管理サーバ４０を省略してもよい。このとき、例えば生産ラインＬｐを管理するホストコンピュータなどが管理制御部４２として機能するようにしてもよい。また、搬送台車３０と端末装置６０とが直接的に通信可能として、生産ラインＬｐおよび保管庫７１と連携して機器管理システム２０を構成するようにしてもよい。
【００６４】
実施形態において、搬送台車３０は、駆動部などを有さず、外部からの操作力により走行する構成とした。これに対して、搬送台車３０は、無人搬送車などの駆動部を有し、例えば外部から入力する制御指令に基づいて移動範囲を走行する構成としてもよい。このとき、位置検出部３２は、駆動部に搭載された機能であってもよいし、駆動部とは別に現在位置Ｐｃを検出する構成であってもよい。位置検出部３２が駆動部と別に構成されると、搬送台車３０は、駆動部の稼働状態に関わらず、位置検出部３２により現在位置Ｐｃの割り出しが可能となる。このような構成においても実施形態と同様の効果を奏する。
【００６５】
また、搬送台車３０は、対基板作業機の一部である構成としてもよい。例えば、搬送台車３０は、複数の収容部３１に複数のフィーダ１２２を収容した状態で移動され、部品装着機３に部品供給装置１２として装備される。このとき、搬送台車３０は、部品装着機３に装備されることにより電力を供給されて外部と通信可能な状態となり、複数の収容部３１のそれぞれが複数のスロット１２１として機能する。このような構成によると、基板製品の生産予定に応じて予め複数の構成装置を段取りすることができ、また所定の生産が終了した対基板作業機から複数の構成装置をまとめて取り外すことができる。このような構成においても実施形態と同様の効果を奏する。
【００６６】
８−３．対基板作業機および構成機器について
実施形態において、機器管理システム２０が管理対象とする構成機器は、フィーダ１２２であるものとして説明した。これに対して、機器管理システム２０は、部品装着機３を構成する種々の構成機器を管理対象としてもよい。具体的には、機器管理システム２０は、部品移載装置１３の装着ヘッド１３３を管理対象としてもよい。また、機器管理システム２０は、複数の吸着ノズル１３４を保持するノズルステーション１６を管理対象としてもよい。
【００６７】
また、実施形態において、構成機器を備える対基板作業機は、部品装着機３であるものとして説明した。これに対して、機器管理システム２０は、搬送台車３０を用いて搬送されるものであれば、生産ラインＬｐを構成する種々の対基板作業機の構成機器を管理対象としてもよい。具体的には、機器管理システム２０は、対基板作業機の一つである印刷機２が印刷に用いるマスクを構成機器として管理対象としてもよい。
【００６８】
但し、部品装着機３では、生産する基板製品の種類に応じて装着処理に要求される機能が多様であり、これに従って構成機器の数および種類が比較的多い。また、小型化の要請により例えばフィーダ１２２の幅が薄くなり、特定の一つの位置を正確に把握しづらいことがある。上記のような観点からは、実施形態にて例示したように、フィーダ１２２を管理対象とする態様が特に有用である。
【符号の説明】
【００６９】
１：生産システム、  ２：印刷機、  ３：部品装着機、  １２：部品供給装置、  １２２：フィーダ（構成機器）、  １３：部品移載装置、  １３３：装着ヘッド、  １３４：吸着ノズル、  １６：ノズルステーション、  ２０：機器管理システム、  ３０：搬送台車、  ３１：収容部、  ３２：位置検出部、  ３３：情報取得部、  ３４：リーダ装置、  ３５：報知部、  ４０：管理サーバ、  ４１：記憶部、  ４２：管理制御部、  ５１：ビーコン装置（送信機）、  ６０：端末装置、  ７１：保管庫、  ９０：基板、  Ｒｍ：移動範囲、  Ｐｃ：現在位置、  Ｐｓ：自己位置、  Ａｆ：マップ、  Ｍ１：機器情報、  Ｈ：作業者
【図１】
2020115915.tif 000003
【図２】
2020115915.tif 000004
【図３】
2020115915.tif 000005
【図４】
2020115915.tif 000006
【図５】
2020115915.tif 000007
【国際調査報告】
2020115915.tif 000008
2020115915.tif 000009
2020115915.tif 000010
2020115915.tif 000011